(57)【要約】【課題】整流回路ユニットを励磁装置に接続するコネクタ部に発生する接触不良を検出し、運転停止を防ぐことができる励磁装置を提供する。【解決手段】整流回路ユニット４をコネクタ部５で接続することで、整流回路ユニット４を交換可能とした励磁装置１において、コネクタ部５の可動接触子４２側の電圧および固定接触子５２側の電圧を測定する各絶縁アンプ８０Ａ、８０Ｂを設け、各絶縁アンプ８０Ａ、８０Ｂの出力電圧の変化からコネクタ部５の接触不良を検出する。【選択図】図１
2019216495.tif 000002
【特許請求の範囲】
【請求項１】
整流回路ユニットをコネクタ部で接続することで、前記整流回路ユニットを交換可能とした励磁装置において、
前記コネクタ部の可動接触子側の電圧および固定接触子側の電圧を測定する各絶縁アンプを設け、
前記各絶縁アンプの出力電圧の変化から前記コネクタ部の接触不良を検出する励磁装置。
【請求項２】
整流回路ユニットをコネクタ部で接続することで、前記整流回路ユニットを交換可能とした励磁装置において、
前記コネクタ部の可動接触子側の電圧および固定接触子側の電圧を電流に変換して測定する各ホールＣＴを設け、
前記各ホールＣＴの出力電流の変化から前記コネクタ部の接触不良を検出する励磁装置。
【請求項３】
整流回路ユニットをコネクタ部で接続することで、前記整流回路ユニットを交換可能とした励磁装置において、
前記コネクタ部の固定接触子側にアークを検出する光検出器を設けて、
前記光検出器の出力信号の変化から前記コネクタ部の接触不良を検出する励磁装置。
【請求項４】
前記各絶縁アンプの出力電圧の変化から、前記コネクタ部の接触不良の状態を判別し、
前記コネクタ部の接触不良の状態に応じて、警報信号あるいは停止信号を出力する請求項１に記載の励磁装置。
【請求項５】
前記各ホールＣＴの出力電流の変化から、前記コネクタ部の接触不良の状態を判別し、
前記コネクタ部の接触不良の状態に応じて、警報信号あるいは停止信号を出力する請求項２に記載の励磁装置。
【請求項６】
前記各絶縁アンプの出力電圧の変化の差分から前記コネクタ部の接触不良を検出する請求項１に記載の励磁装置。
【請求項７】
前記各ホールＣＴの出力電流の変化の差分から前記コネクタ部の接触不良を検出する請求項２に記載の励磁装置。
【請求項８】
前記各絶縁アンプの出力電圧の変化の差分から、前記コネクタ部の接触不良の状態を判別し、
前記コネクタ部の接触不良の状態に応じて、警報信号あるいは停止信号を出力する請求項４に記載の励磁装置。
【請求項９】
前記各ホールＣＴの出力電流の変化の差分から、前記コネクタ部の接触不良の状態を判別し、
前記コネクタ部の接触不良の状態に応じて、警報信号あるいは停止信号を出力する請求項５に記載の励磁装置。
【発明の詳細な説明】
【技術分野】
【０００１】
本願は、発電設備の同期機の界磁回路に励磁電流を供給する整流回路ユニットを交換可能にするために設けられたコネクタ部の接触不良を検出する励磁装置に関するものである。
【背景技術】
【０００２】
発電機等の同期機の励磁装置は、交流電力を整流回路ユニットで整流し、同期機の界磁回路に数千Ａを超える励磁電流を供給する。この整流回路ユニットは、励磁装置に接続するコネクタ部を備えることで、交換可能な構成となっている。励磁装置は、大容量の電力を扱うため、その冷却のため外部からの空気を取り込むため大型ファンを使用する。設置環境によっては、コネクタ部に砂および粉塵などの不純物が混入する場合がある。このために接触不良が発生するとコネクタ部が損傷し、励磁装置から励磁電流の供給が停止することで、最終的に同期機の運転停止に至る可能性がある。
【０００３】
同期機の界磁回路の異常を検出するため、界磁回路と界磁巻線の電圧を測定して比較することで、界磁巻線の断線を検出する技術が提案されている（例えば、特許文献１）。
【先行技術文献】
【特許文献】
【０００４】
【特許文献１】特開平２−４６１４９号公報（２９６頁右上欄２０行目−右下欄２行目、２９７頁右上欄１５行目−左下欄６行、および図１）
【発明の概要】
【発明が解決しようとする課題】
【０００５】
しかし、特許文献１開示技術では、界磁巻線のコネクタ部の片端の電圧を計測するため、コネクタ部に発生する接触不良を検出できず、コネクタ部が損傷し、励磁装置が運転停止する問題点があった。
【０００６】
本願は、上記のような課題を解決するための技術を開示するものであり、整流回路ユニットを励磁装置に接続するコネクタ部に発生する接触不良を検出し、運転停止を防ぐことができる励磁装置を提供することを目的とする。
【課題を解決するための手段】
【０００７】
本願に開示される励磁装置は、整流回路ユニットをコネクタ部で接続することで、整流回路ユニットを交換可能とした励磁装置において、コネクタ部の可動接触子側の電圧および固定接触子側の電圧を測定する各絶縁アンプを設け、各絶縁アンプの出力電圧の変化からコネクタ部の接触不良を検出するものである。
【０００８】
また、本願に開示される励磁装置は、整流回路ユニットをコネクタ部で接続することで、整流回路ユニットを交換可能とした励磁装置において、コネクタ部の可動接触子側の電圧および固定接触子側の電圧を電流に変換して測定する各ホールＣＴを設け、各ホールＣＴの出力電流の変化からコネクタ部の接触不良を検出するものである。
【０００９】
また、本願に開示される励磁装置は、整流回路ユニットをコネクタ部で接続することで、整流回路ユニットを交換可能とした励磁装置において、コネクタ部の固定接触子側にアークを検出する光検出器を設けて、光検出器の出力信号の変化からコネクタ部の接触不良を検出するものである。
【発明の効果】
【００１０】
本願に開示される励磁装置は、コネクタ部の可動接触子側の電圧および固定接触子側の電圧を測定する各絶縁アンプを設け、各絶縁アンプの出力電圧の変化からコネクタ部の接触不良を検出するものであるから、コネクタ部の損傷による励磁装置の故障及び運転停止を防止し、電源の供給を継続することができる。
【００１１】
また、本願に開示される励磁装置は、コネクタ部の可動接触子側の電圧および固定接触子側の電圧を電流に変換して測定する各ホールＣＴを設け、各ホールＣＴの出力電流の変化からコネクタ部の接触不良を検出するものであるから、コネクタ部の損傷による励磁装置の故障及び運転停止を防止し、電源の供給を継続することができる。
【００１２】
また、本願に開示される励磁装置は、コネクタ部の固定接触子側にアークを検出する光検出器を設けて、光検出器の出力信号の変化からコネクタ部の接触不良を検出するものであるから、コネクタ部の損傷による励磁装置の故障及び運転停止を防止し、同期機の界磁巻線に励磁電流の供給を継続することができる。
【図面の簡単な説明】
【００１３】
【図１】実施の形態１による励磁装置に係るコネクタ部の接触不良検出回路を中心とした構成図である。
【図２】実施の形態１による励磁装置に係る整流回路ユニットの構成図である。
【図３】実施の形態１による励磁装置に係るコネクタ部の接触不良判定回路のブロック図である。
【図４】実施の形態１による励磁装置に係るコネクタ部の接触不良時の電圧の挙動説明図である。
【図５】実施の形態１による励磁装置に係るコネクタ部の接触不良時の電圧の挙動説明図である。
【図６】実施の形態２による励磁装置に係るコネクタ部の接触不良検出回路を中心とした構成図である。
【図７】実施の形態３による励磁装置に係るコネクタ部の接触不良検出回路を中心とした構成図である。
【図８】実施の形態４による励磁装置に係るコネクタ部の接触不良判定回路のブロック図である。
【発明を実施するための形態】
【００１４】
実施の形態１．
実施の形態１は、整流回路ユニットをコネクタ部で接続することで、交換可能とした構造を有する励磁装置において、コネクタ部の可動接触子側の電圧および固定接触子側の電圧を測定する各絶縁アンプを設け、各絶縁アンプの出力電圧の変化からコネクタ部の接触不良を検出する励磁装置に関するものである。
【００１５】
以下、実施の形態１に係る励磁装置の構成および動作について、コネクタ部の接触不良検出回路を中心とした構成図である図１、整流回路ユニットの構成図である図２、コネクタ部の接触不良判定回路のブロック図である図３、およびコネクタ部の接触不良時の電圧の挙動説明図である図４、図５に基づいて説明する。
【００１６】
まず、実施の形態１の励磁装置の構成を発電機等の同期機との関係を含めて図１に基づいて説明する。
図１において、励磁装置１は、発電機等の同期機（図示なし）内に設置された界磁巻線３を有する励磁主回路２に励磁電流を供給する。
励磁装置１は、三相交流の主回路（ＡＣ（ａｌｔｅｒｎａｔｉｎｇ  ｃｕｒｒｅｎｔ）主回路）から得た交流を直流に整流する整流回路ユニット４を備える。図１において、整流回路ユニット４で交流から直流に変換（整流）された励磁電流は励磁主回路２内の界磁巻線３に供給される。
ここで、整流回路ユニット４は、励磁装置１内に設置されているが、コネクタ部５を介して接続されているため、交換可能な構造となっている。
【００１７】
なお、整流回路ユニット４は励磁装置１内に冗長構成とするため複数台並列に設置されている。このため、一部（例えば、１台）の整流回路ユニット４が停止しても、励磁装置１の機能は喪失しない。励磁装置１は運転を継続し、同期機の界磁巻線３に励磁電流を供給することができる。
【００１８】
次に整流回路ユニット４の構成例を図２に基づいて説明する。
整流回路ユニット４は、各相（図２では、３相）にサイリスタを備える。これら各相のサイリスタのゲート信号を制御することで、ＡＣ主回路から供給された交流を直流に変換する。なお、図２では、コネクタ部５を２重丸で表している。
【００１９】
図２では、整流回路ユニット４は、３台のサイリスタを備える場合を例として説明した。整流回路ユニットの交換単位は、図２の例に限られない。例えば、サイリスタ１台単位とすることもできるし、図２で示した２台分の整流回路ユニット４をまとめて１台の整流回路ユニットとすることができる。
【００２０】
次にコネクタ部５の構造について説明する。
コネクタ部５は、可動接触子４２と固定接触子５２とを備える。
コネクタ部５に砂および粉塵などの不純物が混入し、接触不良が発生すると、可動接触子４２と固定接触子５２との間にある接触抵抗５３が大きくなることがある。
コネクタ部５の両端部分（可動接触子４２側、および固定接触子５２側）の電圧を測定するために、絶縁アンプ６０Ａおよび６０Ｂが設けられている。
なお、図１では、整流回路ユニット４とＡＣ主回路とを接続するコネクタ部の詳細を省略しているが、整流回路ユニット４と励磁主回路２とを接続するコネクタ部５と同様の構成である。
【００２１】
次に、実施の形態１の励磁装置１の機能、動作について、コネクタ部５の接触不良検出を中心に説明する。
絶縁アンプ６０Ａは、制御コモン６２との電位差として、可動接触子４２側の電圧Ｖ１を測定する。絶縁アンプ６０Ｂは、制御コモン６２との電位差として、固定接触子５２側の電圧Ｖ２を測定する。
図１では、絶縁アンプ６０Ａ、６０Ｂの基準電位を制御コモン６２、すなわち接地６１としているが、ある基準電位に対する比較ができれば良いため、この接続形態に限らない。
【００２２】
図３は、絶縁アンプ６０Ａ、６０Ｂで測定した電圧を用いた接触不良判定回路７０のブロック図である。
可動接触子４２側の電圧Ｖ１と固定接触子５２側の電圧Ｖ２は、それぞれバッファ７１、反転器７２を通じて、加算器７３で加算される。バッファ７１は測定した電圧をそのまま加算器７３に出力し、反転器７２は正負を反転させて加算器７３に出力する。
比較器７４は、加算器７３の出力電圧と設定器７５の設定値Ａを比較し、加算器７３の出力電圧が設定値Ａよりも大きい場合は制御回路（停止）７６へ停止信号を出力する。
この制御回路（停止）７６は、整流回路ユニット４へのゲート信号を停止し、この結果、整流回路ユニット４は同期機の界磁巻線３への励磁電流の供給を停止する。
【００２３】
図４は、接触不良検出時の電圧の挙動を示している。
整流回路ユニット４側、すなわち可動接触子４２側の電圧Ｖ１は接触不良に関係なく、一定の整流波形を示す。これに対して、励磁主回路２側のすなわち固定接触子５２側の電圧Ｖ２は接触不良が発生すると電圧差が生じる。
このため固定接触子５２側の電圧Ｖ２を反転器７２によって反転させたものを可動接触子４２側の電圧Ｖ１と加算した差分の差電圧（電圧Ｖ１−電圧Ｖ２）が発生する。
図４ではノコギリ波のような波形を示したが、実際は電圧差の波形はパルス状となることもある。
【００２４】
接触不良判定回路７０では、接触不良を判定するためある閾値を設定し、差電圧（電圧Ｖ１−電圧Ｖ２）がこの値を超えた場合、接触不良と判定する。また差電圧（電圧Ｖ１−電圧Ｖ２）の波形の面積によって接触不良の判定をすることもできる。
【００２５】
図４は、コネクタ部５に直流電流が流れる場合の接触不良検出時の電圧の挙動を示した。
整流回路ユニット４とＡＣ主回路とを接続するコネクタ部５には交流が流れる。図５は、コネクタ部５に交流が流れる場合の接触不良検出時の電圧の挙動の説明図である。
コネクタ部５に交流が流れる場合は、絶縁アンプ６０Ａ、６０Ｂで測定した電圧（可動接触子４２側の電圧Ｖ１と固定接触子５２側の電圧Ｖ２）は、正弦波状の波形となる。
接触不良が発生した場合は、直流の場合と同様に差電圧（電圧Ｖ１−電圧Ｖ２）が発生する。
【００２６】
上記説明のように、実施の形態１の励磁装置１は、コネクタ部５の接触不良を検出し、接触不良が発生したコネクタ部５を備える整流回路ユニット４だけを停止させて、交換することができる。このため、コネクタ部５の接触不良による励磁装置１の故障及び運転停止を防止し、電源の供給を継続することができる。
【００２７】
以上説明したように、実施の形態１は、整流回路ユニットをコネクタ部で接続することで、交換可能とした構造を有する励磁装置において、コネクタ部の可動接触子側の電圧および固定接触子側の電圧を測定する各絶縁アンプを設け、各絶縁アンプの出力電圧の変化からコネクタ部の接触不良を検出する励磁装置に関するものである。
このため、実施の形態１の励磁装置は、コネクタ部の損傷による励磁装置の故障及び運転停止を防止し、同期機の界磁巻線に励磁電流の供給を継続することができる。
【００２８】
実施の形態２．
実施の形態１の励磁装置においては、コネクタ部の接触不良を検出するため、コネクタ部の可動接触子側の電圧および固定接触子側の電圧を測定する各絶縁アンプを設けた。実施の形態２の励磁装置では、絶縁アンプの代わりにホールＣＴ（ｃｕｒｒｅｎｔ  ｔｒａｎｓｆｏｒｍｅｒ）を用いて、コネクタ部の可動接触子側の電圧および固定接触子側の電圧を測定する構成としたものである。
【００２９】
以下、実施の形態２に係る励磁装置の構成および動作について、励磁装置に係るコネクタ部の接触不良検出回路を中心とした構成図である図６に基づいて、実施の形態１との差異を中心に説明する。図６において、実施の形態１の図１と同一あるいは相当部分は、同一の符号を付している。
なお、実施の形態１と区別するため、励磁装置１００としている。また、適宜、実施の形態１の図３を参照する。
【００３０】
実施の形態２の励磁装置１００の機能、動作について、コネクタ部５の接触不良検出を中心に説明する。
実施の形態１では、絶縁アンプ６０Ａ、６０Ｂを用いて、コネクタ部５の両端部分の電圧を測定した。実施の形態２では、図６のように、コネクタ部５の両端部分の電圧を電流に変換したうえでホールＣＴ８０Ａ、８０Ｂを用いて測定する。
【００３１】
具体的には、コネクタ部５の両端部分（可動接触子４２、固定接触子５２）に高インピーダンス抵抗８１を設置し、ホールＣＴ８０Ａ、８０Ｂの貫通部８２Ａ、８２Ｂを通る電流の大きさをホール効果によって測定する。
ホールＣＴ８０Ａ、８０Ｂによる電流の測定後は、アンプ８３Ａ、８３Ｂを通すことで適正な電圧値へ変換する。
図６では、可動接触子４２側の電圧に対応するアンプ８３Ａの出力を電圧Ｖ３とし、固定接触子５２側の電圧に対応するアンプ８３Ｂの出力を電圧Ｖ４としている。
【００３２】
ホールＣＴ８０Ａ、８０Ｂで測定した電流を電圧に変換後の接触不良判定回路のブロック図は図３と同じであるため図示しない。
相違点は、図３において、バッファ７１の入力がホールＣＴ８０Ａ、すなわちアンプ８３Ａの出力電圧Ｖ３となり、反転器７２の入力がホールＣＴ８０Ｂ、すなわちアンプ８３Ｂの出力電圧Ｖ４となることである。
【００３３】
実施の形態２の励磁装置１００では、コネクタ部５の両端部分の電圧を電流に変換し、この電流をホールＣＴで測定することで、実施の形態１の励磁装置１と同様に、コネクタ部５の接触不良を検出することができる。
そして、実施の形態２の励磁装置１００では、絶縁アンプ６０Ａ、６０Ｂに比較して、安価なホールＣＴ８０Ａ、８０Ｂを測定手段に用いることで、実施の形態１の励磁装置１に比較して、コストを低減することができる。
【００３４】
実施の形態２の励磁装置では、コネクタ部の接触不良の検出を目的とし、絶縁アンプの代わりにホールＣＴを用いて、コネクタ部の可動接触子側の電圧および固定接触子側の電圧を測定する構成としたものである。
したがって、本実施の形態２の励磁装置は、コネクタ部の損傷による励磁装置の故障及び運転停止を防止し、同期機の界磁巻線に励磁電流の供給を継続することができる。さらに、コスト低減を図ることができる。
【００３５】
実施の形態３．
実施の形態３の励磁装置においては、コネクタ部の接触不良を検出するために、コネクタ部に光検出器を設けたものである。
【００３６】
以下、実施の形態３に係る励磁装置の構成および動作について、励磁装置に係るコネクタ部の接触不良検出回路を中心とした構成図である図７に基づいて、実施の形態１との差異を中心に説明する。図７において、実施の形態１の図１と同一あるいは相当部分は、同一の符号を付している。
なお、実施の形態１と区別するため、励磁装置２００としている。
【００３７】
実施の形態３の励磁装置２００の機能、動作について、コネクタ部２０５の接触不良検出を中心に説明する。
実施の形態１では、絶縁アンプ６０Ａ、６０Ｂを用いて、コネクタ部５の両端部分の電圧を測定した。
実施の形態３では、図７のように、コネクタ部２０５に光検出器９０を設置し、接触不良時に発生する光を検出することで、コネクタ部２０５の接触不良を検出する。
【００３８】
まず、実施の形態３の励磁装置２００のコネクタ部２０５の構造について説明する。
コネクタ部２０５は、可動接触子２４２と固定接触子２５２とを備える。コネクタ部２０５は、可動接触子側の絶縁物２４３、および固定接触子側の絶縁物２５３によって外部との絶縁を図る構造となっている。
そして、コネクタ部２０５の固定接触子２５２の絶縁物２５３に光検出器９０を設ける。
【００３９】
コネクタ部２０５には大電流が流れているため、接触部に接触不良が発生した場合にはアークによる光が発生する。光検出器９０はこのアークによる光を検出する。
光検出器９０の出力は、接触不良判定回路２７０で所定の設定値と比較されて、実施の形態１の励磁装置１と同様に停止信号を出力する。
接触不良判定回路２７０の構成は、図３の接触不良判定回路７０から、反転器７２および加算器７３を削除した構成であることは明らかであるため、図および説明は省略する。
【００４０】
実施の形態３の励磁装置２００では、光検出器９０をコネクタ部２０５に設置したので、整流回路等の電気回路に測定点を設ける必要がなく、光検出器９０は非接触型の検出器であるため、既存システムに容易に適用できる。
【００４１】
実施の形態３の励磁装置では、コネクタ部の接触不良を検出するために、コネクタ部に光検出器を設けたものである。
したがって、本実施の形態３の励磁装置は、コネクタ部の損傷による励磁装置の故障及び運転停止を防止し、同期機の界磁巻線に励磁電流の供給を継続することができる。さらに、既存システムにも容易に適用することができる。
【００４２】
実施の形態４．
実施の形態４の励磁装置は、実施の形態１に係る励磁装置１の接触不良判定回路を接触不良発生時に停止信号のみではなく、警報信号も発生する構成としたものである。
【００４３】
以下、実施の形態４に係る励磁装置の接触不良判定回路の構成および動作について、コネクタ部の接触不良判定回路のブロック図である図８に基づいて、実施の形態１との差異を中心に説明する。図８において、実施の形態１の図３と同一あるいは相当部分は、同一の符号を付している。
なお、実施の形態１と区別するため、接触不良判定回路３７０としている。また、適宜、実施の形態１の図１を参照する。
【００４４】
実施の形態１の励磁装置１の接触不良判定回路７０では、図３で説明したように、加算器７３の出力電圧と設定器７５の設定値Ａを比較器７４で比較し、加算器７３の出力電圧が設定値Ａよりも大きい場合は制御回路（停止）７６へ停止信号を出力する。この制御回路（停止）７６は、整流回路ユニット４へのゲート信号を停止し、この結果、整流回路ユニット４は同期機の界磁巻線３への励磁電流の供給を停止する。
【００４５】
実施の形態４の励磁装置の接触不良判定回路３７０では、図３の構成に比較器１０１、設定器１０２、および制御回路（警報）１０３が追加されている。
加算器７３の出力電圧と設定器１０２の設定値Ｂを比較器１０１で比較し、加算器７３の出力電圧が設定値Ｂよりも大きい場合は制御回路（警報）１０３へ警報信号を出力する。
【００４６】
ここで設定値Ａはコネクタ部５の損傷が重度に至る値とし、設定値Ｂはコネクタ部５の損傷が軽度と判断できる値とする。
コネクタ部５での接触不良は突発的に発生するものではなく、段階的に発生する。そのためコネクタ部５の軽度の損傷を未然に検知することで接触不良の兆候を把握することができる。これにより、コネクタ部５の保守および交換時期を早期に決定することができる効果がある。
また、整流回路ユニット４を励磁装置１に接続するとき、コネクタ部５の可動接触子４２が固定接触子５２に挿入されるが、この挿入時の接触不良を即座に把握できる効果もある。
【００４７】
以上の実施の形態４に係る励磁装置の説明では、実施の形態１に係る励磁装置１の接触不良判定回路を接触不良発生時に停止信号のみではなく、警報信号も発生する構成とした。
同様に、実施の形態２の励磁装置に適用して、実施の形態２に係る励磁装置１００の接触不良判定回路を接触不良発生時に停止信号のみではなく、警報信号も発生する構成とすることができる。
【００４８】
実施の形態４の励磁装置は、実施の形態１に係る励磁装置１の接触不良判定回路を接触不良発生時に停止信号のみではなく、警報信号も発生する構成としたものである。
したがって、本実施の形態４の励磁装置は、コネクタ部の損傷による励磁装置の故障及び運転停止を防止し、同期機の界磁巻線に励磁電流の供給を継続することができる。さらに、コネクタ部の接触不良の兆候を把握することができ、保守性の向上を図ることができる。
【００４９】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００５０】
１，１００，２００  励磁装置、２  励磁主回路、３  界磁巻線、
４  整流回路ユニット、５，２０５  コネクタ部、４２，２４２  可動接触子、
５２，２５２  固定接触子、５３  接触抵抗、６０Ａ，６０Ｂ  絶縁アンプ、
６１  接地，６２  制御コモン、７０，２７０，３７０  接触不良判定回路、
７１  バッファ、７２  反転器、７３  加算器、７４，１０１  比較器、
７５、１０２  設定器、７６  制御回路（停止）、８０Ａ，８０Ｂ  ホールＣＴ、
８１  高インピーダンス抵抗、８２Ａ，８２Ｂ  貫通部、８３Ａ，８３Ｂ  アンプ、
９０  光検出器、１０３  制御回路（警報）、２４３，２５３  絶縁物。
【図１】
2019216495.tif 000003
【図２】
2019216495.tif 000004
【図３】
2019216495.tif 000005
【図４】
2019216495.tif 000006
【図５】
2019216495.tif 000007
【図６】
2019216495.tif 000008
【図７】
2019216495.tif 000009
【図８】
2019216495.tif 000010